(57)【要約】【課題】鉄筋連結金具の小型化を図ること。【解決手段】鉄筋連結装置(10)は複数割の継手金物(14)と、継手金物にその軸線の伸長方向へ移動可能に保持された一対の楔部材(16)と、一対のナット(18)とを備える。継手金物は相対する一対の端部(20)と両端部にそれぞれ開放する一対の室(22)とを有する。両室は互いに他の一方の端部に向けて次第に拡径する一対の円錐面(22a)に規定されている。楔部材は継手金物の室(22)の外部及び内部にある筒状の基部(28)とこれに連なる複数の楔部(30)とを有する。基部はねじ山からなる外周面(28a)と鉄筋(12)の端部の挿通を許す開口を規定する内周面(28b)とを備え、また、複数の楔部がそれぞれ継手金物の室の円錐面に沿って湾曲する外面(30a)と鉄筋の端部の周面に相対する内面(30)とを有する。ナットは楔部材の基部のねじ山に係合するねじ溝(18a)を有し、また、継手金物の端部に当接可能である。【選択図】図１
2016164338.tif 000002
【特許請求の範囲】
【請求項１】
２つの鉄筋を相互に連結する装置であって、
軸線と該軸線の伸長方向に間隔をおいて互いに相対する一対の端面と両端面にそれぞれ開放する一対の室とを有し、両室が、前記軸線の周囲を取り巻きかつ互いに他の一方の端面に向けて次第に拡径する一対の円錐面によりそれぞれ規定されている複数割の継手金物と、
前記継手金物にその軸線の伸長方向へ移動可能に保持された一対の楔部材であって各楔部材が前記継手金物の室の外部に位置する筒状の基部と、前記継手金物の室の内部にあって前記軸線の周りに互いに間隔をおいて配置された、前記基部に連なる複数の楔部とを備え、前記基部がねじ山からなる外周面と各鉄筋の端部の挿通を許す開口を規定する内周面とを備え、また、複数の楔部がそれぞれ前記継手金物の室を規定する前記円錐面に沿って湾曲する外面と前記基部の開口を通して挿入される各鉄筋の端部の周面に相対する内面とを有する複数の楔部材と、
両楔部材の基部のねじ山とそれぞれ係合するねじ溝を有する一対のナットであって前記継手金物の両端部にそれぞれ当接可能である一対のナットとを含む、鉄筋連結装置。
【請求項２】
前記継手金物は、前記一対の円錐面とそれぞれ同軸に伸びる一対の他の円錐面を含む表面を有する、請求項１に記載の鉄筋連結装置。
【請求項３】
前記継手金物の表面は、さらに、前記一対の他の円錐面間にあってこれらの円錐面に連なる環状の凹面を含む、請求項２に記載の鉄筋連結装置。
【請求項４】
前記継手金物の両端部と両ナットとは、これらのそれぞれに設けられた当接面において当接可能であり、
前記継手金物の両端部の一対の当接面と該当接面にそれぞれ当接可能である両ナットの一対の当接面とは、共に、互いに他の一方に向けて次第に拡径する円錐面からなる、請求項１に記載の鉄筋連結装置。
【請求項５】
前記継手金物はその一対の室を互いに隔てる仕切部であって前記継手金物の軸線方向における中央部に位置する仕切部を有する、請求項１に記載の鉄筋連結装置。
【発明の詳細な説明】
【技術分野】
【０００１】
本発明は、鉄筋コンクリートや鉄筋鉄骨コンクリート造あるいはプレキャストコンクリート製の構造物の構築に際してコンクリートに埋設される鉄筋を相互に連結するために用いられる鉄筋連結装置に関する。
【背景技術】
【０００２】
従来、２つの鉄筋を相互に連結するための装置が提案されている（後記文献１参照）。この鉄筋連結装置は、同軸的に配置されかつ互いに螺合された大径のカプラー及び小径のカプラーからなる継手金物と、両カプラー内にそれぞれ保持され互いに相対して当接する一対の二つ割の楔部材とを備える。
【０００３】
小径のカプラーはその一端部において前記大径のカプラーの一端部に設けられた凹所に受け入れられ、小径のカプラーの一端部に設けられたねじ山が大径のカプラーの凹所に設けられたねじ溝に係合している。他方、一対の楔部材は互いに他の一方に向けて次第に拡径する円錐面からなる外周面と２つの鉄筋の端部を受け入れる空間を規定する内周面とをそれぞれ有し、小径のカプラーに保持された楔部材はその一部が小径のカプラーの一端部から突出している。また、各カプラーは他端部において開放する円筒面を有する。
【０００４】
２つの鉄筋はこれらの端部において両カプラーの他端部から両楔部材の内周面が規定する空間にそれぞれ挿入され、互いに付き合わされる。両楔部材の前記空間に受入れられた両鉄筋の端部は、両カプラーを相対的に回転させてこれらの螺合位置を変え、これにより両カプラーを互いに他の一方に向けて移動させることにより、両楔部材を介してそれぞれ周囲から締め付けられ、これにより両鉄筋が相互に連結される。
【０００５】
ところで、前記従来の鉄筋連結装置にあっては、２つの鉄筋が相互に連結されるとき、互いに螺合する大径及び小径の両カプラーが互いに他の一方から引張力を受ける状態に置かれる。加えて、両カプラーは、例えば地震の際に両鉄筋が受ける引張力を負担する。このため、両カプラーはこれらの引張力に耐え得る機械的強度を有するように、これらの外径が比較的大きいものに設定される。しかし、両カプラーの外径の増大はこれらのカプラーを備える鉄筋連結装置の外径の増大又は大型化を招き、このため、前記従来の鉄筋連結装置が埋設されるコンクリートのかぶり（かぶり厚）をより大きいものとすることを余儀なくされるという問題がある。
【先行技術文献】
【特許文献】
【０００６】
【特許文献１】特開平１０−５４１１０号公報
【発明の開示】
【発明が解決しようとする課題】
【０００７】
本発明の目的は、鉄筋連結金具の小型化を図ることにある。
【課題を解決するための手段】
【０００８】
本発明は２つの鉄筋を相互に連結する装置に係る。この鉄筋連結装置は、複数割の継手金物と、該継手金物にその軸線の伸長方向（軸線方向）へ移動可能に保持された一対の楔部材と、一対のナットとを備える。前記継手金物は、軸線と該軸線の伸長方向に間隔をおいて互いに相対する一対の端面と両端面にそれぞれ開放する一対の室とを有し、両室が、前記軸線の周囲を取り巻きかつ互いに他の一方の端面に向けて次第に拡径する一対の円錐面によりそれぞれ規定されている。一対の楔部材のそれぞれは前記継手金物の室の外部に位置する筒状の基部と、前記継手金物の室の内部にあって前記軸線の周りに互いに間隔をおいて配置された、前記基部に連なる複数の楔部とを備え、前記基部がねじ山からなる外周面と各鉄筋の端部の挿通を許す開口を規定する内周面とを備え、また、複数の楔部がそれぞれ前記継手金物の室を規定する前記円錐面に沿って湾曲する外面と前記基部の開口を通して挿入される各鉄筋の端部の周面に相対する内面とを有する。また、一対のナットは、両楔部材の基部のねじ山にそれぞれ係合するねじ溝を有し、前記継手金物にそれぞれ当接可能である。
【０００９】
本発明にあっては、鉄筋連結装置を用いて一対の鉄筋を相互に連結するとき、各鉄筋の端部を前記鉄筋連結装置の各楔部材の複数の楔部が取り巻く空間にその基部の開口を通して挿入する。次に、各楔部材の基部にそれぞれ螺合する各ナットを前記継手金物の各端部に当接させてねじ込むと、前記楔部材が前記継手金物を反力支持体として該継手金物から抜け出る方向へ移動する。このとき、前記楔部材の複数の楔部の外面が、前記継手金物の室を規定する円錐面上を該円錐面の直径が漸減する方向へ滑動する。これに伴って、複数の楔部が互いに前記継手金物の軸線に向けて次第に相寄り、これらの内面において前記鉄筋の端部をその周囲から圧迫し、締め付ける。その結果、各鉄筋の端部が各楔部材を介して前記継手金物に固定され、該継手金物を介して両鉄筋が相互に連結される。
【００１０】
本発明によれば、一対の楔部材が前記継手金物にその軸線の伸長方向へ移動可能に保持されていることから、両楔部材による両鉄筋の端部の締め付けの際、前記継手金物はこれに当接する両楔部材から引っ張り力を受けるが、該引張力は、両ナットが前記継手金物に及ぼす圧縮力と相殺される。このことから、従来の鉄筋連結装置における継手金物と異なり、本発明に係る鉄筋連結装置の継手金物は両鉄筋の連結のために引張力を受ける状態におかれることはなく、このため、前記引張力を受ける場合に該引張力に対抗する強度を付与するための前記継手金物の肉厚の増大を必要とせず、前記継手金物ひいてはこれを含む鉄筋連結装置の外形を比較的小さいものとすることができる。また、このために、前記鉄筋連結装置がコンクリート中に埋設されるときに設定されるかぶり（かぶり厚）を確保するために必要とされる前記コンクリートの厚さをより小さいものとすることができる。
【００１１】
前記継手金物は、前記一対の円錐面とそれぞれ同軸の一対の他の円錐面を含む表面を有するものとすることができ、これによれば、例えば前記一対の円錐面と同軸の一対の円筒面を含む表面とする場合と比べて、前記継手金物をよりコンパクトなものとすることができる。
【００１２】
前記継手金物の表面は、さらに、前記一対の他の円錐面間にあってこれらの円錐面に連なる環状の凹面を含むものとすることができる。これによれば、前記継手金物にその周囲を取り巻くように取り付けられるせん断補強筋を前記環状凹面内に配置することができ、これにより、前記せん断補強筋の配置に伴う前記継手金物の表面上への突条の発生とこれに伴う前記継手金物の太さ又はその直径の増大を防止することができる。
【００１３】
前記継手金物の両端部と両ナットとは、これらのそれぞれに設けられた当接面において当接可能であって、前記継手金物の両端部の一対の当接面と該当接面にそれぞれ当接可能である両ナットの一対の当接面とが、共に、互いに他の一方に向けて次第に拡径する円錐面からなるものとすることができる。これによれば、前記ナットのねじ込みにより前記継手金物が軸線方向力を受けるとき、前記軸線方向力が前記継手金物の各端部の当接面とこれに当接する各ナットの当接面とを介して伝達される。互いに当接する前記２つの当接面はそれぞれ前記円錐面からなることから、前記軸線方向力は前記継手金物の軸線に向かう垂直成分を含み、該垂直成分の作用により、複数割の前記継手金物を構成する複数の分割片が前記軸線に向けて前記ナットの当接面上を滑動する。その結果、複数の前記分割片が互いに高密接状態におかれ、これにより、前記分割片相互間からのコンクリート成分（例えばのろ）の侵入を防止することができる。
【００１４】
前記継手金物はその一対の室を互いに隔てる仕切部であって前記継手金物の軸線の伸長方向における中央部に位置する仕切部を有するものとすることができる。これによれば、両楔部材の複数の楔部間にそれぞれ挿入される２つの鉄筋の端部を前記仕切部に当てることができ、これにより両楔部材内への両鉄筋の端部の挿入長を過不足ないものとすることができる。
【図面の簡単な説明】
【００１５】
【図１】鉄筋連結装置の縦断面図である。
【図２】鉄筋連結装置の斜視図である。
【図３】鉄筋連結装置の分解斜視図である。
【発明を実施するための形態】
【００１６】
図１〜図３を参照すると、２つの鉄筋１２を相互に連結するための鉄筋連結装置が全体に符号１０で示されている。
【００１７】
鉄筋連結装置１０は、中空の継手金物１４と、一対の楔部材１６と、一対のナット１８とを備える。連結対象である両鉄筋１２については、図示の異形棒鋼からなるものであるか、あるいは棒鋼やねじ節異形棒鋼からなるものであるか、その種類を問わない。
【００１８】
図示の継手金物１４は単体からなり、全体に細長い形状を有する。継手金物１４は、その内部への両楔部材１６の配置を可能とするため、複数割とされている。すなわち、継手金物１４は、その軸線（図示せず）を含む一つ以上の仮想平面Ａ（図２）に沿って前記軸線の周りに複数個に分割されている。図示の例にあっては、継手金物１４は２個に分割された二つ割のそれであって、２つの分割片１４Ａ、１４Ｂからなる。
【００１９】
継手金物１４は、その軸線の伸長方向（軸線方向）に間隔をおいて互いに相対する一対の端部２０と、両端部２０にそれぞれ開放する一対の室２２とを有する。
【００２０】
継手金物１４の各端部２０は、図示の例にあっては、前記軸線に直交する端面２０ａと、継手金物１４の軸線方向に関して端面２０ａから間隔をおいた位置にありまた継手金物１４の径方向（前記軸線に直交する方向）に関して端面２０ａよりも外方に位置する、ナット１８の後記当接面１８ｂに当接可能である当接面２０ｂとを有する。当接面２０ｂについては、ナット１８の当接面１８ｂとともに後述する。
【００２１】
継手金物１４の両室２２はそれぞれ前記軸線の周囲を取り巻く２つの円錐面２２ａにより規定されている。両円錐面２２ａは、互いに他の一方の端面２０に向けて次第に拡径している。換言すると、両円錐面２２ａの直径が互いに他の一方の端面２０に向けて漸増している。
【００２２】
継手金物１４は、好ましくは、両室２２を規定する一対の円錐面２２ａと、それぞれ同軸である一対の他の円錐面２４ａとからなる表面２４を有する。継手金物１４の表面２４は、図示の一対の他の円錐面２４ａからなるものとすることに代えて、例えば一対の円錐面２２ａとそれぞれ同軸の一対の円筒面（図示せず）からなるものとすることができる。但し、表面２４を一対の他の円錐面２４ａで構成する前者の例によれば、一対の前記円筒面で構成する後者の例と比べて、継手金物１４を比較的小径のもの、あるいは、細身の形状のものとすることができ、これにより鉄筋連結装置１０の小型化を図ることができる点において有利である。
【００２３】
継手金物１４の表面２４は、さらに、一対の他の円錐面２４ａ間にあってこれらの円錐面２４ａに連なる環状の凹面２４ｂを含むものとすることができる。環状凹面２４ｂは好ましくは円弧状の横断面形状を有する。環状凹面２４ｂにはこれに沿って伸びるせん断補強筋（図示せず）を配置することができる。環状凹面２４ｂ内への前記せん断補強筋の配置は、継手金物１４の太さ又はその直径の増大を生じさせない。
【００２４】
継手金物１４は、また、好ましくは、前記軸線方向における中央部に位置する板状の仕切部２６を有する。これによれば、後述する両楔部材１６の複数の楔部３０間への両鉄筋１２の端部の挿入の際、これらの端部の先端を仕切部２６に当接させることができ、これにより、両鉄筋１２の端部の挿入長について過不足のないものとすることができる。
【００２５】
一対の楔部材１６は継手金物１４にその軸線方向へ移動可能に保持されている。両楔部材は、それぞれ、筒状の基部２８と該基部に連なる複数（図示の例では４つ）の楔部３０とを有する（図３参照）。基部２８と複数の楔部３０とはそれぞれ継手金物１４の各室２２の外部及び内部にある。ここにおいて、基部２８の軸線（図示せず）は継手金物１４の前記軸線上にあり、また、複数の楔部３０は基部２８の前記軸線、したがって継手金物１４の前記軸線の周りに互いに間隔をおいて配置されている。
【００２６】
各楔部材１６の基部２８は、ねじ山からなる外周面２８ａと各鉄筋１２の端部の挿通を許す開口を規定する内周面２８ｂとを有する。図示の例において、基部２８は円筒体からなる。前記開口を規定する基部２８の内周面２８ｂは、図示の例に代えて、例えば四角形の横断面形状を有する角形の筒面からなるものとすることができる。
【００２７】
また、複数の楔部３０は、それぞれ、全体に前記軸線の周りに湾曲した板状体からなり、各板状体はその端部において基部２８に連なっている。各楔部３０は、継手金物１４の室２２を規定する円錐面２２ａに沿って湾曲する外面３０ａと、基部２８を経て伸びる各鉄筋１２の端部の周面に相対する例えば円弧面からなる内面３０ｂとを有する。
【００２８】
両楔部材１６は、それぞれ、前記したように、継手金物１４に対して該継手部材の軸線方向へ相対移動可能であり、これらの楔部材１６を前記軸線方向へこれらが互いに離れる方向へ移動させるとき、各楔部材１６の複数の楔部３０の外面３０ａは、継手金物１６の円錐面２２ａ上を該円錐面の直径が漸減する方向へ滑動する。各楔部材１６の複数の楔部３０は、これらが前記軸線の周りに互いに間隔をおいて配置されていることから、前記滑動に伴って前記軸線に向けて互いに相寄るように移動し、全体として窄んだ形態となる。その結果、これらの楔部３０がこれらの内面３０ｂにおいて鉄筋１２の端部をその周囲から圧迫し、締め付け、各鉄筋１２の端部は各楔部材１６を介して継手金物１４に固定され、該継手金物を介して両鉄筋１２が相互に連結される。
【００２９】
両楔部材１６の前記軸線方向への移動はそれぞれ両ナット１８の回転操作により行うことができる。各ナット１８は、各楔部材１６の基部２８の外周面２８ａを規定する前記ねじ山に係合するねじ溝１８ａと、継手金物１４の各端部２０の当接面２０ｂに当接可能である当接面１８ｂとを有する。図示の当接面１８ｂは、ナット１８の両端面のうちの一方を構成する。継手金物の両端部２０の一対の当接面２０ｂと、両ナット１８の一対の当接面１８ｂとは、共に、互いに他の一方に向けて次第に拡径する円錐面からなる。
【００３０】
これによれば、各ナット１８を継手金物１４の端部２０に、図示例にあっては各ナット１８の当接面１８ｂを継手金物１４の端部２０の当接面２０ｂに当接させあるいは押し当て、継手金物１４の仕切部２６に向けてねじ込む方向に進めることにより、継手金物１４に対して軸線方向力を及ぼし、継手金物１４を反力支持体として、楔部材１６を仕切部２６から離れる方向へ直線移動させることができる。
【００３１】
ナット１８の前記ねじ込みにより継手金物１４が前記軸線方向力を受けるとき、前記軸線方向力は、継手金物１４の各端部２０の当接面２０ｂとこれに当接する各ナット１８の当接面１８ｂとを介して伝達される。互いに当接する２つの当接面２０ｂ、１８ｂを前記円錐面とすることにより、前記軸線方向力が、継手金物１４の軸線に向かう垂直成分を含むものとすることができる。前記垂直成分の作用の下、継手金物１４を構成する両分割片１４Ａ、１４Ｂがこれらの軸線に向けてナット１８の当接面１８ｂ上を滑動する。その結果、両分割片１４Ａ、１４Ｂ同士の相互接合をより密にすることができ。これによれば、継手金物１４の周囲にコンクリートが打設されるとき、前記コンクリートの成分（例えばのろ）の両分割片１４Ａ、１４Ｂ間を通しての継手金物１４内への侵入をよりしにくいものとすることができる。
【００３２】
両ナット１８の前記回転操作による両楔部材１６の移動には、継手金物１４に対する両楔部材１６を介しての引張力の負荷を伴う。しかし、両ナット１８の前記回転操作による両楔部材１６の前記移動は継手金物１４を反力支持体として行われることから、継手金物１４は、同時に、両ナット１８から前記引張力と同じ大きさの圧縮力を受ける。このため、前記引張力は前記圧縮力と相殺される。このことから、継手金物１４は実質的に引張状態下におかれず、該引張状態下におかれる場合に施される継手金物１４の肉厚の増大を必要としない。
【符号の説明】
【００３３】
１０  鉄筋連結装置
１２  鉄筋
１４  継手金物
１６  楔部材
１８  ナット
２０  継手金物の端部
２２  継手金物内の室
２２ａ  室を規定する円錐面
２４  継手金物の表面
２４ａ、２４ｂ  継手金物の表面を規定する円錐面及び凹面
２６  継手金物の両室を仕切る仕切部
２８、３０  楔部材の基部及び楔部
２８ａ、２８ｂ  基部の外周面及び内周面
３０ａ、３０ｂ  楔部の外周面及び内周面
【図１】
2016164338.tif 000003
【図２】
2016164338.tif 000004
【図３】
2016164338.tif 000005